(57)【要約】【課題】本発明は、構造が簡単である固定ラックを提供することである。【解決手段】本発明に係る固定ラックは、複数の電子デバイスが間隔をあけて装着される枠を備え、前記枠の内部には、それぞれ対称的に配置される２つの第一ブラケット及び２つの第二ブラケットが設置され、前記第一ブラケットは、固定板と、前記固定板に等間隔に設置されている複数の当接片と、を備え、前記電子デバイスの前記第二ブラケットに近い２つの端角部は、前記第二ブラケットに固定され、前記電子デバイスの前記第一ブラケットに近い２つの端角部は、前記第一ブラケットの前記電子デバイスの底部に近い当接片に当接される。【選択図】図２
2011108237.tif 000002
【特許請求の範囲】
【請求項１】
複数の電子デバイスが間隔をあけて装着される枠を備える固定ラックにおいて、
前記枠の内部には、それぞれ対称的に配置される２つの第一ブラケット及び２つの第二ブラケットが設置され、前記第一ブラケットは、固定板と、前記固定板に等間隔に設置されている複数の当接片と、を備え、前記電子デバイスの前記第二ブラケットに近い２つの端角部は、前記第二ブラケットに固定され、前記電子デバイスの前記第一ブラケットに近い２つの端角部は、前記第一ブラケットの前記電子デバイスの底部に近い当接片に当接されることを特徴とする固定ラック。
【請求項２】
前記電子デバイスの前記第一ブラケットに近い２つの端角部には、外側へ延伸する固定シートがそれぞれに形成されており、前記固定シートの上側及び下側には、切欠きがそれぞれに開設されていることを特徴とする請求項１に記載の固定ラック。
【請求項３】
前記固定シートは、前記第一ブラケットの隣り合う当接片の間に挿入され、且つ前記当接片は、前記電子デバイスの切欠きに嵌合されることを特徴とする請求項２に記載の固定ラック。
【請求項４】
前記第一ブラケットは、固定板、及び前記固定板の長手方向の１つの側辺から前記固定板から離れる方向へ湾曲されて延伸されるガイド部を備え、前記第一ブラケットの前記当接片は、前記ガイド部の自由端から、前記固定板から離れる方向へ延伸して形成されることを特徴とする請求項１に記載の固定ラック。
【請求項５】
前記ガイド部は、前記固定板に連接されている連接板、及び前記連接板から鈍角或いは９０°に湾曲されて延伸されるガイド板を備えることを特徴とする請求項４に記載の固定ラック。
【請求項６】
前記電子デバイスの前記第二ブラケットに近い２つの端角部には、複数の取付部がさらに設置されており、前記取付部は、前記第二ブラケットに固定されることを特徴とする請求項１に記載の固定ラック。
【請求項７】
枠を備える固定ラックにおいて、
前記枠は、その内部に電子デバイスを装着するためにそれぞれに対称的に設置されている２つの第一ブラケット及び２つの第二ブラケットを備え、前記第一ブラケットは、固定板、前記固定板に等間隔に設置されている複数の当接片を備え、前記当接片は、前記電子デバイスの２つの端角部を当接されることを特徴とする固定ラック。
【発明の詳細な説明】
【技術分野】
【０００１】
本発明は、固定ラックに関するものである。
【背景技術】
【０００２】
従来の技術において、サーバーのような電子デバイスは、一般的にモジュールの形式で標準的なケースに配置され、且つこれらのケースは、重畳状態で固定ラック内に配置される。従来の固定ラックには、一般的に別のレール装置が設置され、電子デバイスは、前記レール装置に沿って前記固定ラックに挿し込まれて固定される。しかし、前記固定ラックは、レール装置を設置する必要があるので、構造が複雑である。
【発明の概要】
【発明が解決しようとする課題】
【０００３】
前記課題を解決するために、本発明は、構造が単純である固定ラックを提供することである。
【課題を解決するための手段】
【０００４】
本発明に係る固定ラックは、複数の電子デバイスが間隔をあけて装着される枠を備え、前記枠の内部には、それぞれ対称的に配置される２つの第一ブラケット及び２つの第二ブラケットが設置され、前記各第一ブラケットは、固定板と、前記固定板に等間隔に設置されている複数の当接片と、を備え、前記各電子デバイスの前記第二ブラケットに近い２つの端角部は、前記第二ブラケットに固定され、前記各電子デバイスの前記第一ブラケットに近い２つの端角部は、前記第一ブラケットの前記電子デバイスの底部に近い当接片に当接されることを特徴とする。
【０００５】
本発明に係る固定ラックは、枠を備え、前記枠は、内部に電子デバイスを装着するためにそれぞれに対称的に設置されている２つの第一ブラケット及び２つの第二ブラケットを備え、第一ブラケットは、固定板、前記固定板に等間隔に設置されている複数の当接片を備え、前記当接片は、前記電子デバイスの２つの端角部を当接されることを特徴とする。
【発明の効果】
【０００６】
従来の技術と比べると、本発明に係る固定ラックにおいて、電子デバイスの２つの端角部は、前記第二ブラケットに固定され、電子デバイスの他の２つの端角部は、前記第一ブラケットの前記電子デバイスの底部に近い当接片に当接されることによって、電子デバイスの装着が実現することができ、別のレール装置を設置する必要がないので、構造が簡単である。
【図面の簡単な説明】
【０００７】
【図１】本発明の第一実施例に係る固定ラック及び電子デバイスの斜視図である。
【図２】図１に示した固定ラックのブラケット及び電子デバイスの分解図である。
【図３】図１に示した第一ブラケットの斜視図である。
【図４】図３に示した第一ブラケット平面図である。
【図５】図１に示す電子デバイスを装着する過程を示す図である。
【図６】図１に示す電子デバイスを装着する過程を示す図である。
【図７】本発明の第二実施例に係る固定ラックの第一ブラケットの斜視図である。
【図８】図７に示した第一ブラケットの平面図である。
【図９】本発明の第三実施例に係る固定ラックの第一ブラケットの斜視図である。
【図１０】図９に示した第一ブラケットの平面図である。
【発明を実施するための形態】
【０００８】
以下、図面を参照して、本発明の実施例について説明する。
【０００９】
図１を参照すると、本発明の第一実施例に係る固定ラック２０は、中空の立体状の枠２１、前記枠２１の内部に縦方向に設置されている２つの第一ブラケット１０及び２つの第二ブラケット４０を備える。前記第一ブラケット１０及び前記第二ブラケット４０の両端は、それぞれ前記枠２１の頂部及び底部の梁２２に固定され、且つ前記２つの第一ブラケット１０は、互いに対称的に設置され、前記２つの第二ブラケット４０も、互いに対称的に設置される。前記第一ブラケット１０及び前記第二ブラケット４０は、互いに組み合わされて電子デバイス３０を固定する。前記枠２１に装着される電子デバイス３０のサイズ及び位置の改変に応じて、前記第一ブラケット１０又は／及び前記第二ブラケット４０と前記梁２２とのロック位置を調節することができる。前記第二ブラケット４０は、一般的な業界標準のＥＬＡ−３１０−Ｄに適合するブラケットである。
【００１０】
前記電子デバイス３０の前記第一ブラケット１０に近い２つの端角部には、装着方向に平行する２つの側面から外へ（前記電子デバイス３０の移動方向側へ）延伸して矩形を呈する固定シート３１がそれぞれに形成されている。前記固定シート３１の前記電子デバイス３０から離れている端部には、切削されてガイド面３１０が形成されている。前記固定シート３１と前記電子デバイス３０の装着方向に平行する２つの側面との連接する箇所の上側及び下側には、前記第一ブラケット１０と組み合わせるための切欠き３３がそれぞれに開設されている。前記電子デバイス３０の前記第二ブラケット４０に近い２つの端角部には、取付部３２が固定されている。前記取付部３２は、前記電子デバイス３０に固定されている固定片３２０及び前記固定片３２０から外側へ略垂直に延伸する取付片３２２を備える。前記２つの第二ブラケット４０は、取付板４１及び前記取付板４１の対向する長手方向の側辺から同じ方向へ延伸され且つ異なる幅を有する延伸板４３を備える。幅が大きい延伸板４３には、複数の取付孔４３０が開設されている。
【００１１】
図３及び図４を参照すると、前記第一ブラケット１０は、条状を呈し、且つ矩形の固定板１１、前記固定板１１の長手方向の１つの側辺から、前記固定板１１から離れる方向へ湾曲して延伸するガイド部１３、前記ガイド部１３の自由端から、前記固定板１１から離れる方向へ延伸して等間隔に設置される複数の当接片１５、及び前記固定板１１の長手方向の他の側辺から略垂直に延伸する湾曲板１７を備える。前記ガイド部１３は、前記固定板１１に略垂直に連接されている連接板１２、及び前記連接板１２から、前記湾曲板１７から離れる方向へ湾曲して延伸するガイド板１４を備える。前記連接板１２と前記湾曲板１７とは、前記固定板１１の同じ側に位置されている。前記湾曲板１７の幅は、前記連接板１２の幅より小さい。前記ガイド板１４と前記連接板１２との夾角は、鈍角であり、１１５°であることが好ましい。前記当接片１５は、前記ガイド板１４の側辺から延伸し且つ前記固定板１１に対して垂直になるように形成される。隣り合う当接片１５の間には、嵌合空間１６が形成されている。
【００１２】
他の実施例において、前記固定板１１の長手方向の他の側辺には、湾曲板１７が形成されないこともできる。前記連接板１２と前記固定板１１との夾角は、鈍角であることもできる。隣り合う当接片１５の間隔は、装着される電子デバイス３０の厚さによって決定される。
【００１３】
図５及び図６を参照すると、前記電子デバイス３０の装着過程において、前記２つの取付部３２の固定片３２０を、前記電子デバイス３０の前記第二ブラケット４０に近い２つの端角部の装着方向に平行する２つの側面にそれぞれに装着させ、前記電子デバイス３０の２つの固定シート３１は、前記第一ブラケット１０のガイド部１３及び前記固定シート３１のガイド面３１０のガイドによって前記ガイド部１３の自由端の隣り合う当接片１５の間の嵌合空間１６に順調にスライドされ、且つ、前記当接片１５は、前記電子デバイス３０の切欠き３３に嵌合されるので、前記電子デバイス３０の縦方向の移動を制限して、前記電子デバイス３０の２つの端角部が前記第一ブラケット１０から脱落されることが防止する。それから、ネジ５０を利用して前記２つの取付部３２の取付片３２２及び前記第二ブラケット４０の延伸板４３の取付孔４３０を通してから、前記２つの取付部３２を前記第二ブラケット４０に対応して固定させる。従って、前記電子デバイス３０は、前記枠２１に固定される。このような装着方式によって複数の電子デバイス３０を前記枠２１に固定させることができる。
【００１４】
図７及び図８は、本発明の第二実施例に係る固定ラック２０の第一ブラケット１０ａの構造を示す図である。前記第一ブラケット１０ａのガイド部１３ａの連接板１２ａとガイド板１４ａとの間の連接部分は、湾曲して面取り処理が行われ、前記面取り部分は、前記電子デバイス３０の固定シート３１のガイドに用いられる。前記面取り部分の横断面は、各点の曲率半径が同じ円弧であることができ、各点の曲率半径が連続的に変化する滑らかな曲線であることもできる。
【００１５】
図９及び図１０は、本発明の第三実施例に係る固定ラック２０の第一ブラケット１０ｂの構造を示す図である。前記第一ブラケット１０ｂのガイド部１３ｂの連接板１２ｂとガイド板１４ｂとの夾角は、９０°であり、且つ前記連接板１２ｂと前記ガイド板１４ｂとの間の連接部分は、湾曲して面取り処理が行われる。前記面取り部分の横断面は、各点の曲率半径が同じ円弧であることができ、各点の曲率半径が連続的に変化する滑らかな曲線であることもできる。本実施例において、前記連接板１２ｂとガイド板１４ｂとの間の連接部分は、円弧形であり、円弧の半径は、８ｍｍである。前記連接板１２ｂとガイド板１４ｂとの間の連接部分は、前記電子デバイス３０の固定シート３１をガイドする。
【００１６】
他の実施例において、本発明の前記第一ブラケット１０、１０ａ、１０ｂの前記ガイド部１３、１３ａ、１３ｂに形成されている当接片１５は、前記電子デバイス３０の切欠き３３に嵌合されることさえできれば、前記ガイド部１３、１３ａ、１３ｂは、湾曲されなくてもよい。
【００１７】
他の実施例において、前記電子デバイス３０は、重力によって前記第一ブラケット１０から脱落されることが防止するために、前記電子デバイス３０の前記第一ブラケット１０に近い端角部の下側だけに前記当接片１５を嵌合するための切欠き３３を開設する。
【００１８】
他の実施例において、電子デバイス３０の前記第一ブラケット１０、１０ａ、１０ｂに近い端角部には、切欠き３３が開設されなくてもよく、前記電子デバイス３０の２つの端角部から外へ延伸する固定シート３１が前記第一ブラケット１０、１０ａ、１０ｂの当接片１５に当接されることによって、前記電子デバイス３０を前記第一ブラケット１０、１０ａ、１０ｂに装着させることができる。
【００１９】
本発明に係る固定ラック２０において、第一ブラケット１０、１０ａ、１０ｂに当接片１５が形成され、電子デバイス３０の２つの端角部に固定シート３１が形成され、且つ前記電気デバイス３０の固定シート３１が前記固定ラック２０の隣り合う当接片１５の間の切欠き３３の内部に当接されることによって、前記電子デバイス３０を前記固定ラック２０に固定させ、別のレール装置を設置する必要がないので、構造が簡単である。
【００２０】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２１】
１０、１０ａ、１０ｂ  第一ブラケット
１１  固定板
１２、１２ａ、１２ｂ  連接板
１３、１３ａ、１３ｂ  ガイド部
１４、１４ａ、１４ｂ  ガイド板
１５  当接片
１６  嵌合空間
１７  湾曲板
２０  固定ラック
２１  枠
２２  梁
３０  電子デバイス
３１  固定シート
３２  取付部
３３  切欠き
３１０  ガイド面
３２０  固定片
３２２  取付片
４０  第二ブラケット
４１  取付板
４３  延伸板
４３０  取付孔
５０  ネジ
【図１】
2011108237.tif 000003
【図２】
2011108237.tif 000004
【図３】
2011108237.tif 000005
【図４】
2011108237.tif 000006
【図５】
2011108237.tif 000007
【図６】
2011108237.tif 000008
【図７】
2011108237.tif 000009
【図８】
2011108237.tif 000010
【図９】
2011108237.tif 000011
【図１０】
2011108237.tif 000012